(57)【要約】【課題】見栄えに優れ、かつ、機能的にも優れたフロアマットを低コストで提供する。【解決手段】車両のフロア形状に沿うように裁断あるいは成形加工されたフロアマット本体１０と、その周縁部に設けられるものであって堤状の形態からなる壁部１１０と、からなる。フロアマット本体１０は、下側に設けられるベース層１と、そのベース層１の上に積層される繊維層２と、からなる。ベース層１はゴム材または軟質プラスチック材にて形成されており、本フロアマット全体の剛性を保つようになっている。繊維層２は、ニードルパンチ、織物基布等にて形成される。これらベース層１及び繊維層２の積層された、その端部のところの上面部のところに芯材３が配置される。芯材３は、弾力性を有するものであって、発泡スチロールあるいは軟質ウレタン等からなる。【選択図】図２
0003103027.tif 000002
【実用新案登録請求の範囲】
【請求項１】
車両の床面に配置される車両用フロアマットにおいて、平面状の形態からなるフロアマット本体と、当該フロアマット本体の端部に沿うように配置されるものであって所定の横断面形態を有する芯材とからなり、当該芯材を、上記フロアマット本体の端部のところに芯材全体が包み込まれるようにオーバーロック加工手段にて取付けるようにしたことを特徴とする車両用フロアマット。
【請求項２】
車両の床面に配置される車両用フロアマットにおいて、平面状の形態からなるフロアマット本体と、当該フロアマット本体の端部に沿うように、その上面に配置されるものであって所定の横断面形態を有する芯材と、からなり、当該芯材が、上記フロアマット本体の端部のところにフロアマット本体の上面よりも高くなるように、かつ、芯材全体が包み込まれるようにオーバーロック加工手段にて取付けられるようにした構成からなることを特徴とする車両用フロアマット。
【請求項３】
車両の床面に配置される車両用フロアマットにおいて、平面状の形態からなるとともに、複数の重ね合わせ構造からなり、かつ、最上面側には起毛手段あるいは植毛手段の施された繊維層を有するフロアマット本体と、当該フロアマット本体の端部に沿うように配置されるものであって所定の横断面形態を有する芯材と、からなり、当該芯材が、上記フロアマット本体の端部のところにフロアマット本体の上面よりも高くなるように、かつ、芯材全体が包み込まれるようにオーバーロック加工手段にて取付けられるようにした構成からなることを特徴とする車両用フロアマット。
【考案の詳細な説明】
【技術分野】
【０００１】
本考案は、車両の床面に配置される脱着式の車両用フロアマットに関するものであり、特に、靴等に付着した、土、砂、泥等がフロアマットの外側へ飛散するのを抑止するようにした車両用フロアマットに関するものである。
【背景技術】
【０００２】
一般に、車両用フロアマットは、床面に設けられるフロアカーペット上に配置されるものであって、本フロアカーペットから簡単に脱着することができるようになっているものである。これによって、乗員の車両への乗降にともなってフロアマットの上面に落ちた土砂、泥等を、上記フロアカーペットからフロアマットを取り外して上記土砂等を車室外へ捨てることによって、簡単にフロアマットを清掃することができるようになる。しかしながら、上記従来のものにおいては、使用中において、または上記フロアマットの取り外し作業中において、フロアマットの端部から土砂、泥等がこぼれ落ちて、フロアカーペット上に散らばると言う不都合があった。このような不都合を解消させるために、特開２０００−１６６７４３号公報に示すように、フロアマットの端部のところに発泡層からなる堤状の壁部を設けて、縁部を高くしたものが挙げられる。
【特許文献１】特開２０００−１６６７４３号公報
【考案の開示】
【考案が解決しようとする課題】
【０００３】
しかしながら、このようなフロアマットにおいては、発泡層を含めて、全体を複数の積層状体にて形成しなければならないと言う問題点がある。また、発泡層を形成させるための特別の工程（発泡工程）が必要となり、製造原価が高くならざるを得ないと言う問題点がある。このような問題点を解決するために、フロアカーペット上に土砂等が散らばらないよう、縁の部分に堤状の壁部を設けるとともに、この壁部を、簡単な構造の低コストタイプのものにて形成させるようにしたフロアマットを提供しようとするのが、本考案の目的（課題）である。
【課題を解決するための手段】
【０００４】
上記課題を解決するために、本考案においては次のような手段を講ずることとした。すなわち、請求項１記載の考案である第一の考案においては、車両の床面に配置される車両用フロアマットに関して、平面状の形態からなるフロアマット本体と、当該フロアマット本体の端部に沿うように配置されるものであって所定の横断面形態を有する芯材とからなり、当該芯材を、上記フロアマット本体の端部のところに芯材全体が包み込まれるようにオーバーロック加工手段にて取付けるようにした構成を採ることとした。
【０００５】
また、請求項２記載の考案である第二の考案においては、車両の床面に配置される車両用フロアマットに関して、平面状の形態からなるフロアマット本体と、当該フロアマット本体の端部に沿うように、その上面に配置されるものであって所定の横断面形態を有する芯材とからなり、当該芯材が、上記フロアマット本体の端部のところにフロアマット本体の上面よりも高くなるように、かつ、芯材全体が包み込まれるようにオーバーロック加工手段にて取付けられるようにした構成を採ることとした。
【０００６】
また、請求項３記載の考案である第三の考案においては、車両の床面に配置される車両用フロアマットに関して、平面状の形態からなるとともに、複数の重ね合わせ構造からなり、かつ、最上面側には起毛手段あるいは植毛手段の施された繊維層を有するフロアマット本体と、当該フロアマット本体の端部に沿うように配置されるものであって所定の横断面形態を有する芯材と、からなり、当該芯材が、上記フロアマット本体の端部のところにフロアマット本体の上面よりも高くなるように、かつ、芯材全体が包み込まれるようにオーバーロック加工手段にて取付けられるようにした構成を採ることとした。
【考案の効果】
【０００７】
第一の考案によれば、フロアマット本体の端部に形成される堤状の壁部が、オーバーロック加工を施す際に、芯材全体を包み込むように同時に縫い込まれることによって、簡単に形成されることとなる。従って、周辺部に堤状の壁部を有するフロアマットを低コストにて形成（製造）することができるようになる。
【０００８】
また、第二の考案によれば、フロアマット本体の端部にオーバーロック加工を施す際に、芯材がフロアマット全体の上面に取付けられるようにすることによって、フロアマット本体の縁部をフロアマット本体の平面部よりも高くすることができるようになる。従って、靴等に付着してフロアマットの上面に落ちた土砂等は、フロアマットの外側にこぼれ落ちるようなことがなくなる。その結果、フロアカーペット上に土砂等が飛散するのを防止することができるようになる。
【０００９】
また、第三の考案によれば、本フロアマット自体が適度の柔軟性と剛性とを有するようになり、フロアカーペット上に設置される本フロアマットは、使用中においてずれたりするようなことがなくなり、乗員に違和感を与えることがなくなる。また、靴等に付着した土砂等のフロアカーペット上への飛散等を未然に防止することができるようになる。
【考案を実施するための最良の形態】
【００１０】
本考案を実施するための最良の形態について、図１ないし図３を基に説明する。本実施の形態に関するものは、図１に示す如く、車両のフロア形状に沿うように裁断あるいは成形加工されたフロアマット本体１０と、その周縁部に設けられるものであって堤状の形態からなる壁部１１０と、からなるものである。このような構成からなるものにおいて、フロアマット本体１０は、図２に示すように、下側に設けられるベース層１と、そのベース層１の上に積層される繊維層２と、からなるものである。そして、例えば、ベース層１はゴム材あるいは軟質プラスチック材、または所定の繊維材等にて形成されており、本フロアマット全体に適度の柔軟性と剛性とを与えるようになっているものである。また、このようなベース層１がゴム材または軟質プラスチック材からなるものである場合には、その裏面側にフロアカーペット側に向かって突出すように形成された複数の小さな突起を設けるようにしても良い。これによって、フロアカーペット上に配置されたときに本フロアマットがずれないようになっているものである。なお、このような積層構造は、必ずしも二層のものに限定されるものではなく、場合によっては三層状あるいは四層状等に形成されるものであっても良い。
【００１１】
次に、繊維層２は、例えばニードルパンチを含む不織布、タフティング工法にて形成される起毛部を有する繊維材、織物基布、または編物基布等にて形成されるようになっているものである。そして、これらベース層１及び繊維層２の積層された、その端部のところの上面部のところに、芯材３が配置されるようになっているものである。この芯材３としては、適度の弾力性を有するものであるのが良く、例えば発泡スチロール、あるいは、ポリウレタン、ポリエチレン、スチロール等からなる軟質プラスチック材、または、ロープ、ひも等の繊維材からなるものが用いられる。そして、このような原材料からなるものが線状あるいは棒状に連続した形態に成形されて用いられるようになっているものである。
【００１２】
このような芯材３は、上記ベース層１及び繊維層２が積層状に設けられた、その端部のところに、オーバーロック加工手段５によって取付けられるようになっているものである。具体的には、図２に示す如く、芯材３が繊維層２の端部のところであって繊維層２の上面部に、糸４を介して取付けられるようになっているものである。すなわち、オーバーロック加工手段５を形成する縫製ミシンにて繰り出される糸４にて上記芯材３が包み込まれるように、かつ、ベース層１及び繊維層２の端部のところ全体が取り囲まれるように縫製されるようになっているものである。なお、このようなオーバーロック加工手段５にて縫製される芯材３の、その横断面形状は、一般的には、円形あるいは楕円形等からなるものである。このような芯材３を内包するオーバーロック加工が上記フロアマット本体１０の端部に施されることによって、フロアマット本体１０の周縁部には、フロアマット本体１０の上面よりもＨの高さだけ高くなった堤状の壁部１１０が形成されることとなる（図２参照）。
【００１３】
次に、このような構成からなる本フロアマットの製造方法について、図３を基に説明する。まず、ベース層１及び繊維層２を加熱手段または接着手段を用いて積層状に一体化させて、シート状部材Ｓを形成させる。このようにして得られたシート状部材（図３（ａ）参照）を、図３（ｂ）に示すように所定の形状に裁断する。次に、このように所定の形状に裁断されたシート状部材Ｓの端部の上面のところに、図３（ｃ）に示すように芯材３を配置する。そして、このような状態において、オーバーロック加工手段５にて、シート状部材Ｓの端部にオーバーロック加工を施す（図３（ｃ）参照）。その結果、最終的には、図３（ｄ）に示す如く、端部に上記芯材３にて形成される堤状の壁部１１０を有するフロアマットが形成される（製造される）こととなる。
【００１４】
このような構成からなる本実施の形態のものにおいては、フロアマットの上面に、靴等に付着して持ち込まれた土砂あるいは泥等が落下したとしても、それらの土砂あるいは泥等は、上記周縁部に形成された堤状の壁部１１０にて移動が止められ、こぼれ落ちるようなことがない。すなわち、フロアカーペット上等に上記土砂等が飛散するのを防止することができるようになる。
【００１５】
そして、このようなフロアマット本体１０の端部に形成される堤状の壁部１１０は、端部に芯材３を載置した状態にて、これら全体を包み込むようにオーバーロック加工手段が施されることによって効率良く形成されることとなり、見栄えに優れた、かつ、機能性に優れたフロアマットが低コストで形成される（製造される）ようになる。
【図面の簡単な説明】
【００１６】
【図１】本考案にかかるフロアマットの全体構成を示す斜視図である。
【図２】本考案にかかるフロアマットの構成を示す断面図である。
【図３】本考案にかかるフロアマットの製造方法を示す説明図である。
【符号の説明】
【００１７】
１  ベース層
２  繊維層
３  芯材
４  糸
５  オーバーロック加工手段
１０  フロアマット本体
１１０  壁部
Ｓ  シート状部材
【図１】
0003103027.tif 000003
【図２】
0003103027.tif 000004
【図３】
0003103027.tif 000005